(57)【要約】【課題】執務空間において執務者同士が情報交換したり談話したりすることを好適に促進する。【解決手段】執務空間に配設され、情報の保管及び取り出し機能、キッチン機能、並びに執務者同士の情報交換を促進する機能を執務空間内で提供するためのものであって、文書や書籍等または情報通信関連機器を収納する収納空間３１２、４１２を有する情報取出什器部３、４と、キッチン用の機器、用具または物品を収納する収納空間を有するキッチン什器部２と、執務者を対面させまたは隣り合わせるカウンターテーブルを有するカウンター什器部１とを具備し、前記情報取出什器部３、４の天板３２、４２、前記キッチン什器部２の天板２２、並びに前記カウンター什器部１の天板１２の高さ位置を略同一に設定している家具システムを構成した。  【選択図】図１
2008119306.tif 000002
【特許請求の範囲】
【請求項１】
執務空間に配設され、情報の保管及び取り出し機能、キッチン機能、並びに執務者同士の情報交換を促進する機能を執務空間内で提供するためのものであって、
情報の保管及び取り出し機能を具現するべく、文書や書籍等または情報通信関連機器を収納する収納空間を有する情報取出什器部と、
キッチン機能を具現するべく、キッチン用の機器、用具または物品を収納する収納空間を有するキッチン什器部と、
執務者同士の情報交換を促進する機能を具現するべく、執務者を対面させまたは隣り合わせるカウンターテーブルを有するカウンター什器部とを具備してなり、
前記情報取出什器部の天板、前記キッチン什器部の天板、並びに前記カウンター什器部の天板の高さ位置を略同一に設定している家具システム。
【請求項２】
床面から前記天板の天板面までの高さを約１０００ｍｍに設定している請求項１記載の家具システム。
【請求項３】
前記情報取出什器部、前記キッチン什器部及び前記カウンター什器部はそれぞれ、前記天板を載置した本体と、前記本体を支持する脚とを備えており、
前記情報取出什器部の本体、前記キッチン什器部の本体、並びに前記カウンター什器部の本体の下縁の高さ位置を略同一に設定している請求項１または２記載の家具システム。
【請求項４】
前記情報取出什器部の天板の前端面または後端面と、この情報取出什器部の本体の正面または背面との段差を約１０ｍｍ以下に設定している請求項１、２または３記載の家具システム。
【請求項５】
前記キッチン什器部の天板の前端面または後端面と、このキッチン什器部の本体の正面または背面との段差を約１０ｍｍ以下に設定している請求項１、２、３または４記載の家具システム。
【請求項６】
前記情報取出什器部の天板、前記キッチン什器部の天板、並びに前記カウンター什器部の天板の前後幅を略同一に設定している請求項１、２、３、４または５記載の家具システム。
【発明の詳細な説明】
【技術分野】
【０００１】
本発明は、執務空間において執務者同士が情報交換したり談話したりすることを促進するための家具システムに関する。
【背景技術】
【０００２】
オフィスでは、執務者の心身のリフレッシュを図り、執務者同士のコミュニケーションを円滑化する目的で、執務に専従するための執務空間とは別に、休憩室、喫茶室、談話室または喫煙室等の場を設けることが少なくない。また、それらの場を構築するための家具・什器類も市場に流通している（例えば、下記特許文献を参照）。
【特許文献１】特開２００５−１９５３１０号公報
【発明の開示】
【発明が解決しようとする課題】
【０００３】
しかしながら、執務空間外に独立した休憩室、喫煙室等を設けると、執務者がついそこに長居をしてしまい業務能率が落ちるというようなことが起こり得る。また、特に喫煙室は、非喫煙者が使用することは殆どなく、喫煙者の間でだけ頻繁にコミュニケーションが発生し、喫煙者と非喫煙者との間では却ってコミュニケーションが欠乏する可能性もある。
【０００４】
以上に鑑みてなされた本発明は、執務空間において執務者同士が情報交換したり談話したりすることを好適に促進することを所期の目的としている。
【課題を解決するための手段】
【０００５】
上述した課題を解決するべく、本発明では、執務空間に配設され、情報の保管及び取り出し機能、キッチン機能、並びに執務者同士の情報交換を促進する機能を執務空間内で提供するためのものであって、情報の保管及び取り出し機能を具現するべく、文書や書籍等または情報通信関連機器を収納する収納空間を有する情報取出什器部と、キッチン機能を具現するべく、キッチン用の機器、用具または物品を収納する収納空間を有するキッチン什器部と、執務者同士の情報交換を促進する機能を具現するべく、執務者を対面させまたは隣り合わせるカウンターテーブルを有するカウンター什器部とを具備してなり、前記情報取出什器部の天板、前記キッチン什器部の天板、並びに前記カウンター什器部の天板の高さ位置を略同一に設定している家具システムを構成した。
【０００６】
本家具システムを使用すれば、執務空間内に、執務者同士が情報交換したり談話したりするための場を構築することができる。即ち、情報取出什器部を利用して業務に関連する情報を取り出し、キッチン什器部を利用して飲み物や軽食等を用意し、それらをカウンター什器部に持ち込んで執務者間でコミュニケーションをとることが可能となる。各什器部の天板の高さを揃えているのは、各什器部の統一感の醸成だけでなく、各什器部を執務空間に配設した際の当該執務空間の見通しを確保して執務者の所在を視認しやすくする意図もある。
【０００７】
執務空間に配設する見地から、床面から各什器部の天板の天板面までの高さは約１０００ｍｍに設定することが好ましい。この高さは、自席を立った執務者が気軽に立ち寄ることができ、立ったまま他の執務者と資料等を見ながらコミュニケーションをとるのに好都合な寸法である。また、執務者が原則立ったままで各什器部を利用することになるので、執務者がその場に不必要に長居してしまう不都合も避けられる。
【０００８】
前記情報取出什器部、前記キッチン什器部及び前記カウンター什器部がそれぞれ、前記天板を載置した本体と、前記本体を支持する脚とを備えており、前記情報取出什器部の本体、前記キッチン什器部の本体、並びに前記カウンター什器部の本体の下縁の高さ位置を略同一に設定していれば、床面から本体の下縁までの間隙の大きさが統一され、執務空間の見通しの確保に資する。また、下方の間隙は蹴り込みの役目を果たすので、執務者が各什器部に大いに接近しても足元が妨げられないという効用もある。
【０００９】
前記情報取出什器部の天板の前端面または後端面と、この情報取出什器部の本体の正面または背面との段差を約１０ｍｍ以下に設定すれば、本体を大形化し、ひいては収納空間を十分に大きくとることが可能となる。
【００１０】
前記キッチン什器部についても、天板の前端面または後端面と、本体の正面または背面との段差を約１０ｍｍ以下に設定することが好ましい。
【００１１】
前記情報取出什器部の天板、前記キッチン什器部の天板、並びに前記カウンター什器部の天板の前後幅を略同一に設定していれば、各什器部を並べ連ねるレイアウトがしやすくなり、使い勝手がよくなる。
【発明の効果】
【００１２】
本発明によれば、執務空間において執務者同士が情報交換したり談話したりすることを好適に促進できる。
【発明を実施するための最良の形態】
【００１３】
以下、本発明の一実施形態を、図面を参照して説明する。図１に示すように、本実施形態の家具システムは、カウンター什器部たるカウンターテーブル１、キッチン什器部たるキッチン用収納家具２、情報取出什器部たるＩＴ用収納家具３及び書棚４を具備してなる。
【００１４】
カウンターテーブル１は、執務者同士の情報交換を促進する機能を具現するべく、執務者を対面させまたは隣り合わせることを可能とする什器である。図１ないし図３に示すように、カウンターテーブル１は、脚１１１に幕板１１２を架け渡すように装着してなる家具本体１１に、天板１２を載置して固定したものである。脚１１１は、左右に一対存在している。脚１１１は、円盤状のベース１１１ａと、ベース１１１ａの中心部から直立したパイプ状の脚柱１１１ｂとを要素とし、その脚柱１１１ｂが幕板１１２内に貫入して上端が天板１２直下まで到達している。天板に１２おける脚柱１１１ｂの直上の箇所には、天板１２上と脚柱１１１ｂ内とを連通する連通孔１２ａを形成し、カウンターテーブル１に付帯する照明器具１３や小物用トレー１４等の支柱１３１、１４１を連通孔１２ａから脚柱１１１ｂ内に挿入して支持させ得るようにしている。このとき、照明器具１３の給電コードも脚柱１１１ｂ内に挿通して配線することができる。照明器具１３や小物用トレー１４等を設営しない場合には、天板１２の貫通孔１２ａに目隠し蓋（図示せず）をしておく。
【００１５】
家具本体１１、換言すれば幕板１１２の正面及び／または背面には、略水平方向に延伸するレール１１３を埋設している。図４に示すように、レール１１３は、側断面視略コ字型をなすレール本体の下壁から上壁に向けて突片１１３ａを立ち上げて開口幅を狭めているもので、その突片１１３ａを利用してレール１１３に沿った任意の位置にオプション部材６を掛止可能となっている。
【００１６】
図示例のオプション部材は、雑誌や薄型の書籍、文書等を保持することのできる書架（雑誌架）６である。図１及び図４に示すように、書架６は、やや後傾した面板６１と、面板６１の側縁から後方に屈曲した側板６２と、面板６１の上縁から後方に屈曲した上板６３と、面板６１の下縁から前方に屈曲した樋６４とを備える。面板６１には、無数の丸孔６１１を穿ってある。側板６２は、略垂直な後縁をなす。上板６３は、側板６２の後縁よりも後方に延出し、その先端で下方に屈曲した掛止片６３１を形作っている。書架６を掛止するには、上板６３の先端をレール１１３内に差し入れて掛止片６３１を突片１１３ｂに係合させた上、側板６２の後縁を家具本体１１の正面または背面に当接させるようにする。また、樋６４は、その先端で上方に屈曲した落下防止片６４１を形作っている。雑誌等は、樋６４及び面板６１を介して立てかける。
【００１７】
図３に示すように、家具本体１１の脚１１１及び幕板１１２は、天板１２の前後幅のちょうど中央に位置している。つまり、天板１２は、家具本体１１から前後に大きくオーバーハングしている。
【００１８】
キッチン用収納家具２は、キッチン機能を具現するべく、キッチン用の機器、用具または物品を収納する収納空間２１２、２１３、２１４を有する什器である。図１、図５ないし図７に示すように、キッチン用収納家具２は、収納空間２１２、２１３、２１４を包有する家具本体２１に、天板２２を載置して固定したものである。家具本体２１は、四隅を脚２１１で支持してある。家具本体２１は、概略筐体状をなし、正面視側方（右方）部位に大形の空洞部２１２を開成しつつ、その他の部位に複数の抽斗部２１３及び戸棚部２１４を設けている。空洞部２１２は、例えば冷蔵庫、電子レンジ、給湯ポット、コーヒーメーカ、ドリンクサーバ、おしぼりを保温する保温機等の機器を設置するための場所であり、戸は存在しない。空洞部２１２の底壁には、床上に連通する配線口２１２ａを形成しており、この配線口２１２ａを利用して冷蔵庫等の給電コードを配線することができる。抽斗部２１３及び戸棚部２１４には、キッチンで必要となる食器類や布巾、常温保存可能な食品、調味料等を収納しておくことができる。
【００１９】
家具本体２１の背面には、略水平方向に延伸するレール２１５を埋設している。レール２１５は、カウンターテーブル１の家具本体１１に埋設しているレール１１３と同等のものであり、このレール２１５に沿った任意の位置にオプション部材即ち書架６を掛止可能である。
【００２０】
図７に示すように、天板２２は、その後端面が家具本体の背面から若干（好ましくは、１０ｍｍ以下の段差）後方にオーバーハングしている。家具本体２１の天板２２に接合する上縁近傍は凹んでおり、この凹陥２１６によって天板２２の後端面周辺における下向面の露出範囲が前方に拡張している。並びに、天板２２は、その前端面が家具本体２１の正面から若干（好ましくは、１０ｍｍ以下の段差）前方にオーバーハングしている。家具本体２１の天板２２に接合する上縁近傍は、抽斗部２１３の鏡板の表面や戸棚部２１４の戸板の表面よりも凹んでおり、この凹陥２１７によって天板２２の前端面周辺における下向面の露出範囲が後方に拡張している。
【００２１】
ＩＴ用収納家具３は、ディジタル情報の保管及び取り出し機能を具現するべく、情報通信関連機器を収納する収納空間３１２、３１３を有する什器である。図１、図８ないし図１０に示すように、ＩＴ用収納家具３は、収納空間３１２、３１３を包有する家具本体３１に、天板３２を載置して固定したものである。家具本体は、四隅を脚３１１で支持してある。家具本体３１は、正面視側方（右方）部位に大形の空洞部３１２を開成しつつ、その他の部位に戸棚部３１３を設けている。空洞部３１２は、プリンタやファクシミリ、光学ディスクドライブ等を設置するための場所であり、戸は存在しない。また、プリンタやファクシミリから排出される印刷紙等を取り出しやすくする目的で、天板３２における空洞部３１２の直上の領域を切り欠いて空洞部３１２を上方にも開放している。戸棚部３１３には、コンピュータの本体やハードディスクドライブ等を収納しておくことができる。図示例では、戸棚部３１３は家具本体３１の背面側に開口するものとし、開閉する戸板も背面側に存在している。空洞部３１２と戸棚部３１３とを隔てる隔壁には、両者を連通する配線口３１３ｂを形成しており、この配線口３１３ｂを利用してプリンタ等をコンピュータに接続するためのケーブルを配線することができる。尤も、隔壁自体をなくしてもよい。さらに、空洞部３１２及び／または戸棚部３１３の底壁には、床上に連通する配線口３１２ａ、３１３ａを形成しており、この配線口３１２ａ、３１３ａを利用して給電コードや通信ケーブルを配線することができる。加えて、天板３２における戸棚部３１３の直上の箇所にも、天板３２上と戸棚部３１３とを連通する配線口３２ａを形成しており、この配線口３２ａを利用してディスプレイ、キーボート、ポインティングデバイス（マウス、トラックパッド、他）等をコンピュータに接続するためのケーブルを配線することができる。これにより、コンピュータのディスプレイ、キーボート、ポインティングデバイス等を天板３２上に配置可能になる。
【００２２】
図１０に示すように、天板３２は、その後端面が家具本体３１の背面から若干（好ましくは、１０ｍｍ以下の段差）後方にオーバーハングしている。家具本体３１の天板３２に接合する上縁近傍は、戸棚部３１３の戸板の表面よりも凹んでおり、この凹陥３１４によって天板３２の後端面周辺における下向面の露出範囲が前方に拡張している。並びに、天板３２は、その前端面が家具本体３１の正面から若干（好ましくは、１０ｍｍ以下の段差）前方にオーバーハングしている。家具本体３１の天板３２に接合する上縁近傍は凹んでおり、この凹陥３１５によって天板３２の前端面周辺における下向面の露出範囲が後方に拡張している。
【００２３】
書棚４は、アナログ情報の保管及び取り出し機能を具現するべく、文書や書籍等を収納する収納空間４１２を有する什器である。図１、図１１及び図１２に示すように、書棚４は、収納空間４１２を包有する家具本体４１に、天板４２を載置して固定したものである。家具本体４１は、四隅を脚４１１で支持してある。家具本体４１は、概略筐体状をなし、正面側に開口する収納空間４１２内に棚板及び仕切板を配設してこれを複数の部分空間に区画している。
【００２４】
図１２に示すように、天板４２は、その後端面が家具本体４１の背面から若干（好ましくは、１０ｍｍ以下の段差）後方にオーバーハングしている。家具本体４１の天板４２に接合する上縁近傍は凹んでおり、この凹陥４１３によって天板４２の後端面周辺における下向面の露出範囲が前方に拡張している。
【００２５】
カウンターテーブル１、キッチン用収納家具２、ＩＴ用収納家具３、書棚４のそれぞれの天板１２、２２、３２、４２の高さ寸法Ｈは、おしなべて（約１０００ｍｍに）揃っている。各家具１、２、３、４の天板１２、２２、３２、４２の前後幅寸法Ｗは互いに略等しく、各家具１、２、３、４の家具本体１１、２１、３１、４１の下縁の高さ、換言すれば床面Ｆと家具本体１１、２１、３１、４１との間隙の大きさＬも揃っている。また、キッチン用収納家具２の家具本体２１に設けたレール２１５の高さＲは、カウンターテーブル１の家具本体１１に設けたレール１１３の高さＲに略一致している。
【００２６】
本実施形態では、必要に応じて、上述の各天板付家具１、２、３、４の反使用端側にパネル５を設立することができる。図１及び図１３に示すように、パネル５は、各家具１、２、３、４の倍程度の高さ寸法の概略板状体であり、下端部を接地部５１として床面Ｆに接地するものである。被支持体５の接地部５１には、アジャスタ５１１を設ける。但し、接地部５１にアジャスタ５１１は必須でない。また、アジャスタ５１１をパネル５に対して着脱自在としてもよい。パネル５における各家具の天板よりも上方にある部位には、レール５３を埋設している。レール５３は、カウンターテーブル１やキッチン用収納家具２の家具本体１１、２１に埋設しているレール１１３、２１５と同等のものであり、このレール５３に沿った任意の位置にオプション部材即ち書架６を掛止可能である。
【００２７】
そして、パネル５における各家具の天板よりも若干下方にある部位に、突出部たる治具５２を設けている。図１４ないし図１６等に示すように、この治具５２は、パネル５の表面から略水平方向に突き出しており、その先端で上向きに凸な凸部５２１を形作っている。治具５２は、弾性変形可能なものとすることができる。治具５２は、パネル５から取り外せる部材であってもよく、取り外せないようにパネル５に一体化していてもよい。
【００２８】
他方、各家具１、２、３、４の天板１２、２２、３２、４２の端面周辺の下向面には、パネル５から突き出した治具５２を係合させる係合部１２１、２２１、３２１、４２１を予め設けておく。本実施形態では、この係合部１２１、２２１、３２１、４２１に、上向きに凹む凹部（または、凹溝）１２１ａ、２２１ａ、３２１ａ、４２１ａを形成している。
【００２９】
パネル５を設立するにあたっては、図１４に示すように、パネル５を天板付家具１、２、３、４の反使用端側に臨ませ、パネル５をやや前傾させてその治具５２を天板１２、２２、３２、４２の端面側から天板１２、２２、３２、４２下に潜り込ませる。しかる後、パネル５の下端部位を前方に押し込んでパネル５の姿勢を起こすように操作すると、図１５または図１６に示すように、治具５２の凸部５２１が天板１２、２２、３２、４２の係合部１２１、２２１、３２１、４２１に形成された凹部１２１ａ、２２１ａ、３２１ａ、４２１ａに挿入され、同時にパネル５の接地部５１が床面Ｆに緊密に接地する。結果として、パネル５が天板付家具１、２、３、４に支持された状態になる。つまり、凸部５２１と凹部１２１ａ、２２１ａ、３２１ａ、４２１ａとの凹凸係合を含む治具５２と係合部１２、２２、３２、４２との係合、並びに接地部５１と床面Ｆとの摩擦により、パネル５の倒伏が抑制される。この支持構造は、天板付家具１、２、３、４の自重及びパネル５の自重をうまく利用してパネル５を支持する点に特色がある。因みに、図１４、図１５はカウンターテーブル１にパネル５を取着する例を示し、図１６はキッチン用収納家具２、ＩＴ用収納家具３または書棚４にパネル５を取着する例を示している。
【００３０】
さらに、アジャスタ５１１を操作して被支持体５及び突出部５２の高さ位置を上昇させるようにすれば、突出部５２（及び、凸部５２１）が係合部１２１、２２１、３２１、４２１（及び、凹部１２１ａ、２２１ａ、３２１ａ、４２１ａ）により強く係合し、アジャスタ５１１もまた床面Ｆにより強く圧接する。ひいては、パネル５の支持構造の安定性が増す。このことは、凸部５２１と凹部１２１ａ、２２１ａ、３２１ａ、４２１ａとの間にガタが存在する場合にも有効である。即ち、アジャスタ５１１の調整操作を通じてガタを解消することができる。
【００３１】
パネル５を取り外したいときには、上記と真逆の手順を踏めばよい。即ち、（必要であればアジャスタ５１１を操作して被支持体５及び突出部５２の高さ位置を下降させた後）設立しているパネル５の下端部位を後方に引き出してパネル５の姿勢を前傾させるように操作すると、パネル５の接地部５１が床面Ｆから離れ、同時に治具５２の凸部５２１が天板１２、２２、３２、４２の係合部１２１、２２１、３２１、４２１に形成された凹部１２１ａ、２２１ａ、３２１ａ、４２１ａから脱出する。しかる後、パネル５を天板付家具１、２、３、４から引き離す。
【００３２】
本実施形態によれば、執務空間に配設され、情報の保管及び取り出し機能、キッチン機能、並びに執務者同士の情報交換を促進する機能を執務空間内で提供するためのものであって、情報の保管及び取り出し機能を具現するべく、文書や書籍等または情報通信関連機器を収納する収納空間３１２、３１３、４１２を有する情報取出什器部３、４と、キッチン機能を具現するべく、キッチン用の機器、用具または物品を収納する収納空間２１２、２１３、２１４を有するキッチン什器部２と、執務者同士の情報交換を促進する機能を具現するべく、執務者を対面させまたは隣り合わせるカウンターテーブルを有するカウンター什器部１とを具備してなり、前記情報取出什器部３、４の天板３２、４２、前記キッチン什器部２の天板２２、並びに前記カウンター什器部１の天板１２の高さ位置Ｈを略同一に設定している家具システムを構成したため、執務空間内に、執務者同士が情報交換したり談話したりするための好適な場を構築することができる。即ち、情報取出什器部３、４を利用して業務に関連する情報を取り出し、キッチン什器部２を利用して飲み物や軽食等を用意し、それらをカウンター什器部１に持ち込んで執務者間でコミュニケーションをとることが可能となる。各什器部１、２、３、４の天板１２、２２、３２、４２の高さＨが揃っていることから、各什器部１、２、３、４の統一感を醸成できるだけでなく、各什器部１、２、３、４を執務空間に配設した際の当該執務空間の見通しを確保でき、執務者の所在を視認しやすい。
【００３３】
床面Ｆから各什器部１、２、３、４の天板１２、２２、３２、４２の天板面までの高さＨを約１０００ｍｍに設定しているため、自席を立った執務者が気軽に立ち寄ることができ、立ったまま他の執務者と資料等を見ながらコミュニケーションをとるのに好都合である。また、執務者が原則立ったままで各什器部１、２、３、４を利用することになるから、執務者がその場に不必要に長居してしまう不都合も避けられる。
【００３４】
前記情報取出什器部３、４、前記キッチン什器部２及び前記カウンター什器部１がそれぞれ、前記天板３２、４２、２２、１２を載置した本体３１、４１、２１、１１と、前記本体３１、４１、２１、１１を支持する脚３１１、４１１、２１１、１１１とを備えており、前記情報取出什器部３、４の本体３１、４１、前記キッチン什器部２の本体２１、並びに前記カウンター什器部１の本体１１の下縁の高さ位置Ｌを略同一に設定しているため、床面Ｆから本体３１、４１、２１、１１の下縁までの間隙の大きさＬが統一され、執務空間の見通しの確保に資する。また、下方の間隙Ｌは蹴り込みの役目を果たすので、執務者が各什器部１、２、３、４に大いに接近しても足元が妨げられないという効用もある。
【００３５】
前記情報取出什器部３、４の天板３２、４２の前端面または後端面と、この情報取出什器部３、４の本体３１、４１の正面または背面とのオーバーハングの段差を約１０ｍｍ以下に設定しているため、本体３１、４１の大形化、ひいては収納空間３１２、３１３、４１２の大容量化が可能となる。
【００３６】
前記キッチン什器部２についても、天板２２の前端面または後端面と、本体２１の正面または背面とのオーバーハングの段差を約１０ｍｍ以下に設定しており、やはり本体２１の大形化、ひいては収納空間２１２、２１３、２１４の大容量化が可能となる。
【００３７】
前記情報取出什器部３、４の天板３２、４２、前記キッチン什器部２の天板２２、並びに前記カウンター什器部１の天板１２の前後幅Ｗを略同一に設定しているため、各什器部３、４、２、１を並べ連ねるレイアウトがしやすくなり、使い勝手がよくなる。
【００３８】
なお、本発明は以上に詳述した実施形態に限られるものではない。特に、上記実施形態では、各什器部が互いに別体をなしていたが、一の什器部と他の什器部とが一体化している態様を妨げない。よって、例えば、キッチン什器部と情報取出什器部とを一体化したり、カウンター什器部とキッチン什器部とを一体化したりすることも考えられる。
【００３９】
その他各部の具体的構成は上記実施形態に限られるものではなく、本発明の趣旨を逸脱しない範囲で種々変形が可能である。
【図面の簡単な説明】
【００４０】
【図１】本発明の一実施形態の家具システムを示す斜視図。
【図２】本実施形態におけるカウンター什器部を示す正面図。
【図３】同カウンター什器部の側面図。
【図４】同カウンター什器部の要部側断面図。
【図５】本実施形態におけるキッチン什器部を示す正面図。
【図６】同キッチン什器部の背面図。
【図７】同キッチン什器部の側面図。
【図８】本実施形態における情報取出什器部を示す正面図。
【図９】同情報取出什器部の背面図。
【図１０】同情報取出什器部の側面図。
【図１１】本実施形態における情報取出什器部を示す正面図。
【図１２】同情報取出什器部の側面図。
【図１３】本実施形態におけるパネルを示す正面図。
【図１４】本実施形態におけるパネルの支持構造を示す要部側断面図。
【図１５】同支持構造を示す要部側断面図。
【図１６】本実施形態におけるパネルの支持構造を示す要部側断面図。
【符号の説明】
【００４１】
１…カウンター什器部
１１…本体
１１１…脚
１２…天板
２…キッチン什器部
２１…本体
２１１…脚
２１２、２１３、２１４…収納空間
２２…天板
３、４…情報取出什器部
３１、４１…本体
３１１、４１１…脚
３１２、３１３、４１２…収納空間
３２、４２…天板
Ｆ…床面
Ｈ…天板の高さ
Ｌ…本体の下縁の高さ
Ｗ…天板の前後幅
【図１】
2008119306.tif 000003
【図２】
2008119306.tif 000004
【図３】
2008119306.tif 000005
【図４】
2008119306.tif 000006
【図５】
2008119306.tif 000007
【図６】
2008119306.tif 000008
【図７】
2008119306.tif 000009
【図８】
2008119306.tif 000010
【図９】
2008119306.tif 000011
【図１０】
2008119306.tif 000012
【図１１】
2008119306.tif 000013
【図１２】
2008119306.tif 000014
【図１３】
2008119306.tif 000015
【図１４】
2008119306.tif 000016
【図１５】
2008119306.tif 000017
【図１６】
2008119306.tif 000018